(57)【要約】      （修正有）【課題】使用時の延び、速泡性、泡量、泡質に優れ、すすぎ後のさっぱり感に優れながらも、つっぱり感が生じ難く、乾燥後の肌にうるおいを与え、翌朝の肌のモイスチャーバランスを整え、経時安定性も良好なペースト状洗浄剤組成物の提供。【解決手段】ａ．ラウリン酸カリウム塩５〜４０質量％、ミリスチン酸カリウム塩３０〜８０質量％、パルミチン酸カリウム塩５〜３０質量％、およびステアリン酸カリウム塩０〜３０質量％である脂肪酸カリウム塩混合物、ｂ．アルキルイミノジカルボン酸型両性界面活性剤、ｃ．アシルメチルタウリン型陰イオン性界面活性剤、ｄ．水膨潤性粘土鉱物。ｅ．炭素数２〜６の２価または３価のアルコールの各成分を含有し、それぞれが、順に１２〜３２質量％、０．５〜１０質量％、０．５〜１０質量％、２〜２０質量％、１０〜３０質量％であり、ａ成分とｄ成分の質量比ａ／ｄが１〜４であることを特徴とするペースト状洗浄剤組成物。【選択図】なし【特許請求の範囲】
【請求項１】
下記のａ、ｂ、ｃ、ｄおよびｅの各成分を含有し、ａ成分が１２〜３２質量％、ｂ成分が０．５〜１０質量％、ｃ成分が０．５〜１０質量％、ｄ成分が２〜２０質量％、ｅ成分が１０〜３０質量％であり、ａ成分とｄ成分の質量比ａ／ｄが１〜４であることを特徴とするペースト状洗浄剤組成物。
ａ．ラウリン酸カリウム塩５〜４０質量％、ミリスチン酸カリウム塩３０〜８０質量％、パルミチン酸カリウム塩５〜３０質量％、およびステアリン酸カリウム塩０〜３０質量％である脂肪酸カリウム塩混合物
ｂ．式（１）で示されるアルキルイミノジカルボン酸型両性界面活性剤
【化１】
2014193981.tif 000006
（式中、Ｒ１は炭素数８〜２０のアルキル基またはアルケニル基を示し、Ｍ１およびＭ２はそれぞれ独立して水素原子またはアルカリ金属を示す。ｍおよびｎはそれぞれ独立して１〜３の整数を示す。）
ｃ．式（２）で示されるアシルメチルタウリン型陰イオン性界面活性剤
【化２】
2014193981.tif 000007
（式中、Ｒ２ＣＯは炭素数８〜２０のアシル基を示し、Ｍ３はアルカリ金属、１／２アルカリ土類金属、アンモニウム、有機アンモニウムまたは塩基性アミノ酸陽イオンを示す。）
ｄ．水膨潤性粘土鉱物
ｅ．炭素数２〜６の２価または３価のアルコール
【発明の詳細な説明】
【技術分野】
【０００１】
本発明は、主として顔や身体などの皮膚の洗浄に用いられるペースト状洗浄剤組成物に関し、更に詳しくは、使用時の延び、速泡性、泡量、泡質に優れ、すすぎ後のさっぱり感に優れながらも、つっぱり感が生じ難く、乾燥後の肌にうるおいを与え、翌朝の肌のモイスチャーバランスを整え、経時安定性も良好なペースト状洗浄剤組成物に関する。
【背景技術】
【０００２】
泡立たせて使う洗浄料は、泡量や泡質の良さが求められ、泡量が多いほど洗浄した際の満足感が得られる傾向にあり、また泡質がクリーミーで細かいほど皮膚の毛穴などの小さな部位にも入りこめることから汚れのかき出しに優れ、さらに、豊富でクリーミーな泡による緩衝作用によって洗浄時の肌への負担を低減できる。また、泡立ちが速い、すなわち速泡性が良いことも重要である。
このような洗浄料として石けんを主成分とした洗浄料が古くから用いられていたが、中鎖脂肪酸塩を用いると、速泡性、泡量は良好である反面、洗浄力、泡質は満足いくものではなかった。反対に、長鎖脂肪酸塩を用いると、泡質がクリーミーである反面、洗浄力の高さや金属石けんのできやすさから、すすぎ後の肌につっぱり感を生じるという問題があった。さらに、脱脂力が強い洗浄料を用いると、洗浄後の皮脂分泌量が過剰になることにより、翌朝の肌にベタツキを感じたり、モイスチャーバランスが崩れることにより、肌荒れを引き起こすことがあった。
【０００３】
一方、水膨潤性粘土鉱物は、薄片状結晶が重なった層状構造を有しており、層間に水が入ると膨潤し、増粘する特性を有する。また、この結晶の表面に電荷を有しており、その電荷と反対のイオン性物質を吸着する特性をも有する。水膨潤性粘土鉱物は微細な粒子であるので、水膨潤性粘土鉱物を用いて身体の洗浄をすると、毛穴の汚れまできれいに落としてさっぱりさせ、かつ薄片状結晶が一時的に皮膚表面に皮膜を形成し、洗い上がりは皮膚にしっとりとした感触を与えることができる。さらに、水膨潤性粘土鉱物の増粘効果により泡質がクリーミーになるので、水膨潤性粘土鉱物を用いたいわゆる泥による洗浄が盛んに行なわれるようになっている。
【０００４】
例えば特許文献１には、膨潤性粘土鉱物、セルロース系の弱アニオン性水溶性高分子及び石鹸よりなる透明ゲル状組成物を洗浄料として使用することが記載されている。この組成物は、速泡性はあるものの、泡量や泡質においては満足のゆくものではなく、さらに乾燥後の肌にうるおい感を与え、翌朝の肌のモイスチャーバランスを整える効果は得られ難かった。
特許文献２には、水膨潤性粘土鉱物３〜１５質量％と、水と、アニオン性界面活性剤１０〜４０質量％とを配合した人の皮膚や毛髪を洗浄するためのゲル状洗浄料が記載されている。この洗浄料は、乾燥後のうるおい感は高いものの、速泡性、泡量、泡質は満足のゆくものではなかった。
特許文献３には、水膨潤性粘土鉱物２５〜５０質量％、陰イオン性界面活性剤８〜２５質量％、水２５〜６５質量％からなる洗浄料が記載されている。この洗浄料は、乾燥後のうるおい感は高いものの、使用時の延び、速泡性、泡量、翌朝の肌のモイスチャーバランスを整える効果は得られ難かった。さらに、多量の粘土鉱物が毛穴に入り込み、さっぱり感の低減につながることもあった。
【先行技術文献】
【特許文献】
【０００５】
【特許文献１】特開平９−１１０６２５号公報
【特許文献２】特開２００７−２５４４３２号公報
【特許文献３】特開２００９−１６７１２６号公報
【発明の概要】
【発明が解決しようとする課題】
【０００６】
本発明は、上記課題に鑑みてなされたものであり、使用時の延び、速泡性、泡量、泡質に優れ、すすぎ後のさっぱり感に優れながらも、つっぱり感が生じ難く、乾燥後の肌にうるおいを与え、翌朝の肌のモイスチャーバランスを整え、経時安定性も良好なペースト状洗浄剤組成物の提供を目的とする。
【課題を解決するための手段】
【０００７】
上記課題を解決するため、本発明者らは鋭意検討した結果、下記に示すａ、ｂ、ｃ、ｄおよびｅの特定の成分を所定量組み合わせることにより、上記課題を解決できることを見出し、本発明を完成するに至った。
【０００８】
すなわち、本発明は、下記のａ、ｂ、ｃ、ｄおよびｅの各成分を含有し、ａ成分が１２〜３２質量％、ｂ成分が０．５〜１０質量％、ｃ成分が０．５〜１０質量％、ｄ成分が２〜２０質量％、ｅ成分が１０〜３０質量％であり、ａ成分とｄ成分の質量比ａ／ｄが１〜４であることを特徴とするペースト状洗浄剤組成物である。
ａ．ラウリン酸カリウム塩５〜４０質量％、ミリスチン酸カリウム塩３０〜８０質量％、パルミチン酸カリウム塩５〜３０質量％、およびステアリン酸カリウム塩０〜３０質量％である脂肪酸カリウム塩混合物
ｂ．式（１）で示されるアルキルイミノジカルボン酸型両性界面活性剤
【化１】
2014193981.tif 000002
（式中、Ｒ１は炭素数８〜２０のアルキル基またはアルケニル基を示し、Ｍ１およびＭ２はそれぞれ独立して水素原子またはアルカリ金属を示す。ｍおよびｎはそれぞれ独立して１〜３の整数を示す。）
ｃ．式（２）で示されるアシルメチルタウリン型陰イオン性界面活性剤
【化２】
2014193981.tif 000003
（式中、Ｒ２ＣＯは炭素数８〜２０のアシル基を示し、Ｍ３はアルカリ金属、１／２アルカリ土類金属、アンモニウム、有機アンモニウムまたは塩基性アミノ酸陽イオンを示す。）
ｄ．水膨潤性粘土鉱物
ｅ．炭素数２〜６の２価または３価のアルコール
【発明の効果】
【０００９】
本発明のペースト状洗浄剤組成物は、使用時の延び、速泡性、泡量、泡質に優れ、すすぎ後のさっぱり感に優れながらも、つっぱり感が生じ難く、さらには、洗浄後の乾かした肌にうるおいを与え、翌朝の肌のモイスチャーバランスを整え、経時安定性も良好であるという特長を有する。
【発明を実施するための形態】
【００１０】
以下、本発明の実施形態について説明する。
本発明のペースト状洗浄剤組成物は、上記のａ、ｂ、ｃ、ｄおよびｅの各成分を含有する。ａ成分から順次説明する。
【００１１】
〔ａ成分〕
本発明に用いられるａ成分は、その組成がラウリン酸カリウム塩５〜４０質量％、ミリスチン酸カリウム塩３０〜８０質量％、パルミチン酸カリウム塩５〜３０質量％、およびステアリン酸カリウム塩０〜３０質量％の混合物であり、好ましくはラウリン酸カリウム塩１０〜３０質量％、ミリスチン酸カリウム塩４０〜６５質量％、パルミチン酸カリウム塩８〜２０質量％、およびステアリン酸カリウム塩１０〜２５質量％の脂肪酸カリウム塩の混合物である。
【００１２】
脂肪酸カリウム塩の混合物は、予め脂肪酸カリウム塩としたものを混合したものでもよく、また、それぞれの脂肪酸を含有する脂肪酸の混合物をまとめてカリウム塩としたものでもよい。
本発明のペースト状洗浄剤組成物は、ａ成分を構成する脂肪酸カリウム塩以外の脂肪酸カリウム塩を、本発明の効果を損なわない範囲で、含有していてもよく、上記ａ成分を１００質量％としたとき、ａ成分以外の脂肪酸カリウム塩を５質量％程度まで含有させることができる。
【００１３】
〔ｂ成分〕
本発明に用いられるｂ成分は、式（１）で示されるアルキルイミノジカルボン酸型両性界面活性剤である。
式（１）中のＲ１は、炭素数８〜２０のアルキル基またはアルケニル基であり、具体的には、ラウリル基、ミリスチル基、パルミチル基、ステアリル基、イソステアリル基等のアルキル基、オレイル基等のアルケニル基が挙げられ、アルキル基またはアルケニル基はヤシ油アルキル基等の混合脂肪酸由来のアルキル基またはアルケニル基であってもよい。
アルキル基またはアルケニル基の炭素数は、好ましくは８〜１８、より好ましくは１０〜１４の範囲のものである。炭素数が８未満の場合は泡立ちおよび泡質が低下することがあり、２０を超える場合は安定性に問題を生じることがある。
【００１４】
また、式（１）中のＭ１およびＭ２は、それぞれ水素原子またはアルカリ金属を示し、Ｍ１とＭ２は同一でも、異なっていても良く、例えば水素原子、カリウム、ナトリウムが挙げられ、好ましくは水素原子またはナトリウムである。
さらに、式（１）中のｍおよびｎはそれぞれ独立して１〜３の整数であり、好ましくは１または２の整数であり、より好ましくはｍおよびｎがともに１である。ｍまたはｎが０の場合は安定性が低下することがあり、３を超える場合は泡質が低下することがある。
好ましいｂ成分としては、具体的には、例えば、ラウリルイミノジ酢酸ナトリウム〔日油（株）製「ニッサンアノンＬＡ」〕等が挙げられる。ｂ成分は必要に応じて一種又は二種以上を用いることができる。
【００１５】
〔ｃ成分〕
本発明に用いられるｃ成分は、式（２）で示されるアシルメチルタウリン型陰イオン性界面活性剤である。式中のＲ２ＣＯはアシル基であり、炭素数８〜２０の脂肪酸残基である。かかる脂肪酸残基としては、具体的に脂肪酸名で表記すると、例えばカプリル酸、カプリン酸、ラウリン酸、ミリスチン酸、パルミチン酸、ステアリン酸、イソステアリン酸、オレイン酸、リノール酸、リノレン酸等の脂肪酸が挙げられる。また、混合脂肪酸由来のアシル基を用いることができ、かかる混合脂肪酸としては、ヤシ油脂肪酸、パーム油脂肪酸等が挙げられる。好ましいアシル基は、炭素数１０〜１８の範囲のものであり、より好ましくは炭素数１０〜１４の範囲のものである。炭素数が８未満の場合は泡立ちおよび泡質が低下することがあり、２０を超える場合は安定性に問題を生じることがある。
また、式中のＭ３は、アルカリ金属、１／２アルカリ土類金属、アンモニウム、有機アンモニウムまたは塩基性アミノ酸陽イオンを示し、例えば、カリウム、ナトリウム、１／２マグネシウム、１／２カルシウム、アンモニウム、トリエタノールアンモニウム、リジンの陽イオン性残基、アルギニンの陽イオン性残基等が挙げられ、好ましくはカリウム、ナトリウムである。
【００１６】
好ましいｃ成分としては、具体的には、例えば、Ｎ−カプロイル−Ｎ−メチルタウリンナトリウム〔日油（株）製「ダイヤポンＨＦ−ＳＦ」〕や、Ｎ−ココイル−Ｎ−メチルタウリンナトリウム〔日油（株）製「ダイヤポンＫ−ＳＦ」〕等が挙げられる。ｃ成分は必要に応じて一種又は二種以上を用いることができる。
【００１７】
〔ｄ成分〕
本発明に用いられるｄ成分は、水膨潤性粘土鉱物であり、詳細には、結晶性ケイ酸塩を含む層と、Ａｌ、Ｍｇ等の金属を中心とした層とが積み重なった、層状結晶性ケイ酸塩鉱物であり、スメクタイト属粘土鉱物、膨潤性の雲母などが挙げられる。これらは天然品、合成品のいずれでも用いることができる。スメクタイト属粘土鉱物が、化粧品成分として汎用されている点で好ましい。スメクタイト属粘度鉱物としては、例えば、モンモリロナイト、サポナイト、ヘクトライト等があり、より好ましくはモンモリロナイトを挙げることができる。
【００１８】
これらの市販品としては、モンモリロナイトを含有するものとして、（株）ホージュン製の「ベンゲル」「ベンゲルＦＷ」、クニミネ工業（株）製の「クニピアＧ」「クニピアＦ」等が挙げられ、またサポナイトを含有するものとして、バンダービルド社製の「ビーガムＴ」「ビーガムグラニュー」等が挙げられ、さらにヘクトライトを含有するものとして、アメリカンコロイド社製の「ベントンＥＷ」等が挙げられる。ｄ成分は必要に応じて一種又は二種以上を用いることができる。
【００１９】
〔ｅ成分〕
本発明に用いられるｅ成分は、炭素数２〜６の２価または３価のアルコール、すなわち分子内に２〜３個の水酸基を有する炭素数が２〜６の水溶性のアルコールである。具体的には、プロピレングリコール、ジエチレングリコール、１，３−ブチレングリコール、イソプレングリコール、１，２−ペンタンジオール、ヘキシレングリコール、ジプロピレングリコール、グリセリンなどが挙げられる。これらの中で、使用時の延び、速泡性の点から、グリセリン、プロピレングリコール、１，３−ブチレングリコール、イソプレングリコール、１，２−ペンタンジオール、ジプロピレングリコールが好ましい。ｅ成分は必要に応じて一種又は二種以上を用いることができる。
【００２０】
ａ成分の含有量は、組成物全量中に１２〜３２質量％であり、好ましくは１４〜２８質量％、より好ましくは１６〜２４質量％である。１２質量％未満では泡量、泡質およびさっぱり感が低下することがあり、３２質量％を超えると、使用時の延び、速泡性が低下し、すすぎ後のつっぱり感が感じられ、さらに乾燥後のうるおい感が低下し、翌朝の肌のモイスチャーバランスを整える効果が低下することがある。また、経時安定性にも問題が生じることがある。
【００２１】
ｂ成分の含有量は、組成物全量中に０．５〜１０質量％であり、好ましくは１〜７質量％、より好ましくは１〜５質量％である。０．５質量％未満では、速泡性が低下し、つっぱり感が生じることがある。１０質量％を超えると、さっぱり感が低下することがある。
【００２２】
ｃ成分の含有量は、組成物全量中に０．５〜１０質量％であり、好ましくは１〜７質量％、より好ましくは１〜５質量％である。０．５質量％未満では、速泡性が低下し、つっぱり感を生じることがあり、うるおい感も低下することがある。１０質量％を超えると、すすぎ後にぬめり感が生じ、さっぱり感が低下することがある。
【００２３】
ｄ成分の含有量は、組成物全量中に２〜２０質量％であり、好ましくは５〜１５質量％、より好ましくは８〜１２質量％である。２質量％未満では、泡質、すすぎ後のつっぱり感、乾燥後のうるおい感が低下し、翌朝の肌のモイスチャーバランスを整える効果が低くなることがある。２０質量％を超えると、使用時の延び、速泡性、泡量、さっぱり感が低下することがあり、経時安定性にも問題が生じることもある。
【００２４】
ｅ成分の含有量は、組成物全量中に１０〜３０質量％であり、好ましくは１５〜２８質量％、より好ましくは１７〜２５質量％である。１０質量％未満では、使用時の延び、速泡性、泡質、乾燥後のうるおい感や、翌朝のモイスチャーバランスを整える効果が低下することがある。３０質量％を超えると、すすぎ時にぬめり感を生じ、さっぱり感が低下することがあり、経時安定性にも問題が生じることがある。
【００２５】
ａ成分とｄ成分の質量比ａ／ｄは１〜４であり、好ましくは１．３〜３．５、より好ましくは１．５〜３である。質量比ａ／ｄが１未満では、速泡性、泡量、泡質、さっぱり感が低下することがある。質量比ａ／ｄが４を超えると、泡質、乾燥後のうるおい感が低下し、つっぱり感を生じることがある。さらに翌朝のモイスチャーバランスを整える効果や、経時安定性にも問題を生じることがある。
【００２６】
本発明のペースト状洗浄剤組成物は、通常の方法に従って製造することができる。例えば、脂肪酸を溶融させ、溶融した脂肪酸中に水膨潤性粘土鉱物を分散させ、そこへ中和剤やその他の界面活性剤、多価アルコール、水などを添加して製造することができる。
本発明の洗浄剤組成物の形態はペースト状であり、溶剤として水を用いたものが好ましい。本発明のペースト状洗浄剤組成物において、水は通常、３５〜７５質量％を含有させることができる。
【００２７】
本発明のペースト状洗浄剤組成物は、肌（皮膚）の洗浄を目的とした様々な使用形態に適用することができ、例えば洗顔料、ボディスクラブ等として用いることができる。
本発明のペースト状洗浄剤組成物においては、本発明の効果を阻害しない範囲で、皮膚用洗浄剤に常用されている添加剤を含有させることも可能である。
【実施例】
【００２８】
以下、実施例および比較例を挙げて本発明をさらに具体的に説明する。
表１（実施例１〜５）および表２（比較例１〜７）に示すペースト状洗浄剤組成物（以下、洗浄料とも言う。）を調製し、下記の方法により評価した。
なお、表１および表２において、各成分の数値は組成物全量中の含有量（質量％）を示す。また、ａ／ｄはａ成分とｄ成分の質量比を示す。
【００２９】
（１）使用時の延び
２０名の女性（２１才〜３５才）をパネラーとし、洗浄料５ｇをとり、掌全体によく伸ばした。
２点：延びが非常に良いと感じた場合。
１点：延びがやや良い感じた場合。
０点：延びが悪いと感じた場合。
【００３０】
（２）速泡性
２０名の女性（２１才〜３５才）をパネラーとし、洗浄料５ｇをとり、掌全体によく伸ばした後、約３５℃のぬるま湯を徐々に加えながら泡立てた。
２点：泡立ちが非常に速いと感じた場合。
１点：泡立ちがやや速いと感じた場合。
０点：泡立ちが遅いと感じた場合。
【００３１】
（３）泡量
２０名の女性（２１才〜３５才）をパネラーとし、洗浄料５ｇをとり、掌全体によく伸ばした後、約３５℃のぬるま湯を徐々に加えながら泡立てた。
２点：泡量が非常に多いと感じた場合。
１点：泡量がやや多いと感じた場合。
０点：泡量が少ないと感じた場合。
【００３２】
（４）泡質
２０名の女性（２１才〜３５才）をパネラーとし、洗浄料５ｇをとり、掌全体によく伸ばした後、約３５℃のぬるま湯を徐々に加えながら泡立てた。
２点：泡質が非常に良いと感じた場合。
１点：泡質がやや良いと感じた場合。
０点：泡質が悪いと感じた場合。
【００３３】
（５）すすぎ後のつっぱり感
２０名の女性（２１才〜３５才）をパネラーとし、洗浄料５ｇをとり、掌全体によく伸ばした後、約３５℃のぬるま湯を徐々に加えながら泡立てて、顔を洗い、その後ぬるま湯ですすいだ。
２点：つっぱり感を全く感じない場合。
１点：つっぱり感をほとんど感じない場合。
０点：つっぱると感じた場合。
【００３４】
（６）すすぎ後のさっぱり感
２０名の女性（２１才〜３５才）をパネラーとし、洗浄料５ｇをとり、掌全体によく伸ばした後、約３５℃のぬるま湯を徐々に加えながら泡立てて、顔を洗い、その後ぬるま湯ですすいだ。
２点：さっぱりすると感じた場合。
１点：ややさっぱりすると感じた場合。
０点：さっぱりしない、または肌に残留物があると感じた場合。
【００３５】
（７）乾燥後のうるおい感
２０名の女性（２１才〜３５才）をパネラーとし、洗浄料５ｇをとり、掌全体によく伸ばした後、約３５℃のぬるま湯を徐々に加えながら泡立てて、顔を洗い、ぬるま湯ですすいだ。その後、タオルドライをしてよく乾燥させた。
２点：うるおい感があると感じた場合。
１点：うるおい感がややあると感じた場合。
０点：うるおいがないと感じた場合。
【００３６】
（８）翌朝の肌の感触（モイスチャーバランス）
２０名の女性（２１才〜３５才）をパネラーとし、就寝前に次のとおり洗顔を行った。洗浄料５ｇをとり、掌全体によく伸ばした後、約３５℃のぬるま湯を徐々に加えながら泡立てて、顔を洗い、ぬるま湯ですすいだ。その後、タオルドライをしてよく乾燥させ、化粧水や乳液、クリーム等を使用したスキンケアは行わずに、翌朝の肌の状態を評価した。
２点：うるおいがあり、かつべたつきがなくモイスチャーバランスが整っていると感じた場合。
１点：うるおいがある、またはべたつきがなく、モイスチャーバランスがやや整っていると感じた場合。
０点：うるおいがない、またはべたつくと感じた場合。
【００３７】
上記（１）〜（８）について下記の基準で評価して、表１および表２にそれぞれ評価を示した。なお、「◎」および「○」を合格と評価した。
◎：合計点が３５点以上
○：合計点が３０点以上３５点未満
△：合計点が２０点以上３０点未満
×：合計点が２０点未満
【００３８】
（９）経時安定性
各洗浄料について、０℃、室温、４５℃の各温度条件下でそれぞれ１カ月間保存した。それらを２５℃の恒温槽に３時間静置した後、性状を観察し下記のように評価し、表１および表２にそれぞれ示した。なお、「○」を合格とした。
○：いずれの温度でも硬さに変化がない。
×：いずれかの温度において硬い、あるいは柔らかい。
【００３９】
【表１】
2014193981.tif 000004
【００４０】
【表２】
2014193981.tif 000005
【００４１】
本発明のペースト状洗浄剤組成物に係る実施例１〜５の洗浄料はいずれも、使用時の延びがよく、速泡性、泡質、泡立ちに優れ、さっぱりと洗いあげながらも、すすぎ後のつっぱり感が生じ難かった。さらに乾燥後の肌にうるおいを与え、翌朝の肌のモイスチャーバランスを整える効果が感じられ、経時安定性にも優れていた。
【００４２】
これに対して比較例１〜７では十分な性能が得られていない。
比較例１はａ成分が少なく、ａ／ｄが小さいので、速泡性、泡量、泡質、すすぎ後のさっぱり感が悪かった。また、翌朝の肌のモイスチャーバランスを整える効果も低かった。
比較例２はｂ成分を含有していないので、速泡性が悪く、泡量、すすぎ後のつっぱり感の効果が低かった。
比較例３はｃ成分を含有していないので、速泡性が悪く、泡量、すすぎ後のつっぱり感、乾燥後のうるおい感が低かった。
【００４３】
比較例４はｄ成分が少なく、ａ／ｄが大きいので、泡質、すすぎ後のつっぱり感、乾燥後のうるおい感が悪く、翌朝の肌のモイスチャーバランスを整える効果、経時安定性も悪かった。
比較例５はｅ成分が少ないので、使用時の延び、泡質、乾燥後のうるおい感、翌朝の肌のモイスチャーバランスを整える効果が低く、速泡性が悪かった。
比較例６はａ、ｂ、ｃおよびｅ成分が少ないか、または含有しておらず、ｄ成分が多く、ａ／ｄが小さいので、使用時の延び、速泡性、泡量、すすぎ後のさっぱり感が悪く、泡質、翌朝の肌のモイスチャーバランスを整える効果が低かった。
比較７はｃおよびｄ成分を含有していないので、すすぎ後につっぱり感を生じやすく、乾燥後のうるおい感、翌朝の肌のモイスチャーバランスを整える効果が悪かった。